(57)【特許請求の範囲】
【請求項１】
液体を収容する容器と前記容器底面に配設された加熱手段と前記容器を支持する外郭と前記加熱手段等の制御を行う複数の制御回路基板と前記制御回路基板を支持する保持体と前記制御回路基板を覆設するように前記保持体に配設された前記蓋体と前記外郭の上方に具備された注口部とを備え、前記複数の制御回路基板の一方は略垂直方向に保持され、もう一方は略垂直あるいは略水平方向に保持されて、かつ前記保持体及び前記蓋体と共に前記容器と前記外郭の間に配設され、かつ前記外郭の支持リブＡと前記注口部の支持リブＢとで狭着されてなる電気湯沸かし器。
【請求項２】
制御回路基板Ａは保持体及び蓋体に設けられた支持部により狭着され、制御回路基板Ｂとは略垂直方向の位置関係で支持された請求項１記載の電気湯沸かし器。
【請求項３】
電気二重層コンデンサーを有する制御回路基板Ａは、制御回路基板Ｂの上方に位置しない請求項１及び２記載の電気湯沸かし器。
【請求項４】
電気二重層コンデンサーを有する制御回路基板Ａは、容器よりも外側に位置する請求項３記載の電気湯沸かし器。
【請求項５】
制御回路基板を支持する保持体及び蓋体は、外郭と注口部に狭着されて保持される請求項１〜４記載の電気湯沸かし器。
【請求項６】
制御回路基板を支持する保持体は、容器の下方に設けられた遮熱板に締結された請求項１〜５記載の電気湯沸かし器。
【請求項７】
保持体及び蓋体には、制御回路基板からのリード線を導く開口部が具備され、前記開口部は略水平方向に形成された請求項１〜６記載の電気湯沸かし器。
【請求項８】
液体を収容する容器と前記容器底面に配設された加熱手段と前記容器を支持する外郭と前記加熱手段等の制御を行う制御回路基板と前記制御回路基板を支持する保持体と前記制御回路基板を覆設するように前記保持体に配設された蓋体と外郭の上方に具備された注口部と前記容器に水を供給する着脱自在なタンクとを備え、前記タンクは前記外郭側面に位置し、かつ前記制御回路基板は前記タンク側の前記外郭内部に配設された電気湯沸かし器。
【発明の詳細な説明】
【０００１】
【発明の属する技術分野】
本発明は、電気湯沸かし器における制御回路基板の支持構成、位置関係に関するものである。
【０００２】
【従来の技術】
従来の電気湯沸かし器における制御回路基板の構成を図１７において説明する。１は液体を貯める容器、２は容器１の底面に配設された加熱手段で容器１内の液体を加熱するものである。３は容器１等を支持する外郭、４は容器１の下部に設けられた遮熱板、５は遮熱板４の下部に支持される保持体、６は保持体５の中に支持された制御回路基板Ａで、水平方向にセットされ、コードレス出湯（電源コードをつながなくても、ある時間は電荷を貯めておくことで、ポンプを駆動し、湯を出すことができる機能）する時の電荷を貯める部品である電気二重層コンデンサーを有する。７は加熱手段２を制御する制御回路基板Ｂで制御回路基板Ａ６の下方に水平方向に支持されている。８はカバーで制御回路基板Ａ６を覆うように支持され、電気二重層コンデンサーからの液もれから制御回路基板Ｂ７を保護するものである。９は制御回路基板Ａ６及び制御回路基板Ｂ７を覆設するように、保持体５上に配設された蓋体、１０は外郭３上部に具備された注口部である。制御回路基板Ｂ７は容器１の下方、すなわち加熱手段２の下方に水平方向に支持され、制御回路基板Ａ６は容器１の外側に水平方向に支持されている。
【０００３】
【発明が解決しようとする課題】
しかしながら、前記従来の構成では、コンパクトな電気湯沸かし器を実現する際に、コードレス出湯や液晶表示、音声機能等多くの機能を搭載させた場合、制御基板回路Ｂ７の面積が大きくなり、容器１の下方には、制御回路基板Ｂ７を全て配置させることができないし、また加熱手段２と制御回路基板Ｂ７との距離が近くなることで、制御回路基板Ｂ７への熱的影響が大きくなり、機器としての信頼性が落ちるという問題点を有していた。
【０００４】
本発明は、上記従来の課題を解決するもので、一方の制御回路基板を垂直方向に、もう一方の制御回路基板は水平あるいは垂直方向にというようにフレキシブルに、容器と外郭の間に配置することで、コンパクトでデザイン性の高い、また信頼性の高い電気湯沸かし器を提供することを目的とする。
【０００５】
【課題を解決するための手段】
前記従来の課題を解決するために、本発明は、制御回路基板の一方を略垂直方向に、もう一方は略垂直あるいは略水平方向に保持し、かつ保持体及び蓋体と共に容器と外郭の間に配設することで、本体内の効率的な基板、部品配置を実現できる。
【０００６】
【発明の実施の形態】
請求項１に記載の発明は、液体を収容する容器と容器底面に配設された加熱手段と容器を支持する外郭と加熱手段等の制御を行う複数の制御回路基板と制御回路基板を支持する保持体と制御回路基板を覆設するように保持体に配設された蓋体と外郭の上方に具備された注口部とを備え、複数の制御回路基板の一方は略垂直方向に保持され、もう一方は略垂直あるいは略水平方向に保持されて、かつ保持体及び蓋体と共に容器と外郭の間に配設され、かつ前記外郭の支持リブＡと前記注口部の支持リブＢとで狭着されてなる電気湯沸かし器の構成とすることで、効率的な基板の配置や、また基板の用途によってフレキシブルな基板の配置を行うことができるコンパクトな機器を提供すると共に、基板への熱的影響の少ない信頼性の高い機器をも提供できる。
【０００７】
請求項２に記載の発明は、制御回路基板Ａは保持体及び蓋体に設けられた支持部により狭着され、制御回路基板Ｂとは略垂直方向の位置関係で支持された請求項１記載の電気湯沸かし器の構成とすることで、効率的な基板の配置や、また基板に載る部品の高さが高い場合でも有効な基板の配置を行うことができるコンパクトな機器を提供すると共に、基板への熱的影響の少ない信頼性の高い機器をも提供できる。
【０００８】
請求項３に記載の発明は、電気二重層コンデンサーを有する制御回路基板Ａは、制御回路基板Ｂの上方に位置しない請求項１及び２記載の電気湯沸かし器の構成とすることで、効率的な基板の配置と共に、たとえ電気二重層コンデンサーから液もれをしても、制御回路基板Ｂには付着しないため、制御回路基板は壊れることなく、信頼性の高い機器を提供できる。
【０００９】
請求項４に記載の発明は、電気二重層コンデンサーを有する制御回路基板Ａは、容器よりも外側に位置する請求項３記載の電気湯沸かし器の構成とすることで、効率的な基板の配置と共に、電気二重層コンデンサーの熱的影響を低減することができる。また、たとえ電気二重層コンデンサーから液だれをしても、制御回路基板Ｂには付着しないため、制御回路基板は壊れることなく、信頼性の高い機器を提供できる。
【００１０】
請求項５に記載の発明は、制御回路基板を支持する保持体及び蓋体は、外郭と注口部に狭着されて保持される請求項１〜４記載の電気湯沸かし器の構成とすることで、効率的な基板の配置と共に、部品を追加することなく本体に確実に保持できるコンパクトな機器を提供できる。
【００１１】
請求項６に記載の発明は、制御回路基板を支持する保持体は、容器の下方に設けられた遮熱板に締結された請求項１〜５記載の電気湯沸かし器の構成とすることで、効率的な基板の配置と共に、基板の組立、配線時においても、保持体は確実に固定されているため、組み立てやすい作業者に優しい機器をも提供できる。
【００１２】
請求項７に記載の発明は、保持体及び蓋体には、制御回路基板からのリード線を導く開口部が具備され、前記開口部は略水平方向に形成された請求項１〜６記載の電気湯沸かし器の構成とすることで、効率的な基板の配置と共に、たとえ本体内に水が入ったとしても、基板は保持体と蓋体に囲われ、なおかつ、リード線の出入口である開口部は水平方向（重力方向でない）であるため、水は入りにくく、制御回路基板への水の付着のない信頼性の高い機器を提供できる。
【００１３】
請求項８に記載の発明は、液体を収容する容器と容器底面に配設された加熱手段と容器を支持する外郭と加熱手段等の制御を行う制御回路基板と制御回路基板を支持する保持体と制御回路基板を覆設するように保持体に配設された蓋体と外郭の上方に具備された注口部と容器に水を供給する着脱自在なタンクとを備え、タンクは外郭側面に位置し、かつ制御回路基板はタンク側の内部に配設された電気湯沸かし器の構成とすることで、本体のタンク側の大きな空間に基板がおけるため、効率的な基板配置を行えて、コンパクトな機器を提供できる。
【００１４】
【実施例】
以下本発明の実施例について、図１〜１６を参照にしながら説明する。
【００１５】
（実施例１）
図１、図２は、本発明の第１の実施例における電気湯沸かし器の前面断面図、電気湯沸かし器の平面断面図を示すものである。
【００１６】
図１、図２において、１１は液体を貯める容器、１２は容器１１の底面に配設された加熱手段で容器１１内の液体を加熱するものである。１３は容器１１等を支持する外郭、１４は容器１１の下部に設けられた遮熱板、１５は容器１１の側面に位置している保持体、１６は保持体１５の中に支持された複数の制御回路基板のうちの１つの制御回路基板Ｂで加熱手段１２を制御している。１７は複数の制御回路基板のうちのもう１つの制御回路基板Ａで保持体１５の中に支持されている。１８は制御回路基板Ａ１７及び制御回路基板Ｂ１６を覆設するように、保持体１５上に配設された蓋体、１９は外郭１３上部に具備された注口部である。制御回路基板Ｂ１６は保持体１５の中で略垂直方向に支持され、制御回路基板Ａ１７は、保持体１５の中で略水平方向あるいは垂直方向に支持されており、蓋体１８と共に容器１１と外郭１３の間に略垂直方向に配置されている。図２では、本体の右斜め後方の空間部に収められている。
【００１７】
次に、この第１の実施例における作用を説明する。
最近の電化製品は、市場からデザイン性及びコンパクトさというものが大きく要望されている。そのような中、電化製品における本体内部にある機能部品は、限られた小さな空間に効率よく配置させることで、実現させる必要がある。その機能部品の中で大きな割合を占めるのが、制御回路基板である。基本機能を満足させるための回路部品に加え、付加価値を生み出す機能のための回路部品と機能が増えるにつれ、制御回路基板の必要面積は大きくなってくる。コンパクトさを実現させるために、外郭１３の大きさを小さくしていくのだが、前に述べたように、必要な制御回路基板の面積というものはある程度決まっており、今までのように容器１１の下部に収納しきるのは、難しいものとなっている。
【００１８】
ところが、本発明の構成においては、外郭１３の角部（実施例１では右斜め後方）の余った空間（容器１１と外郭１３の間）に制御回路基板Ｂ１６を収めることで、本体自体の大きさはコンパクトに抑えることができる。
【００１９】
また、付加価値を生む機能としての制御回路基板Ａ１７（例えば、コードレス出湯を行うための電気二重層コンデンサーを含んだ基板や、ブザーや音声を発するための基板、また付加価値という面では違うがコンパクトさの実現のため効率のよい分割の仕方で分けた基板等）は、その用途に応じて、水平方向あるいは垂直方向に支持できる。電気二重層コンデンサーのように高さのある部品がある場合は、制御回路基板Ｂ１６と同様の方向で支持すると、蓋体１８に干渉しセットできないが、図２のような構成とすると、水平方向に支持して高さをかせげるため、容易にセットできる。
【００２０】
また、ブザーのように音が鳴る基板では、人間が聞こえやすいように、本体の上方に位置させる必要がある。その際、フレキシブルに複数の基板をセットできるので、コンパクトでかつ、高付加価値の機能を有する機器を提供できる。
【００２１】
また、制御回路基板Ａ１７及び制御回路基板Ｂ１６は、容器１１の側面に配置され、加熱手段１２の下部に位置していないので、熱的影響を大きく受けない。
【００２２】
また、上方まで制御回路基板Ｂ１６はあるため、注口部１９に位置する操作基板からのリード線の長さを短くできるため、コストの安い、またノイズ等の外乱に強い機器をも提供できる。
【００２３】
これらから、制御回路基板Ａ１７、制御回路基板Ｂ１６に載っている電子部品の耐久性が向上するため、機器としての信頼性も向上させることができる。
【００２４】
制御回路基板Ａ１７、制御回路基板Ｂ１６の位置関係、つまり上下が逆でも同様の効果が得られる。
【００２５】
（実施例２）
図３は、本発明の第２の実施例における電気湯沸かし器の平面断面図を示すものである。
【００２６】
図３において、２１は液体を貯める容器、２２は容器２１の底面に配設された加熱手段で容器２１内の液体を加熱するものである。２３は容器２１等を支持する外郭、２４は容器２１の下部に設けられた遮熱板、２５は容器２１の側面に位置している保持体、２６は保持体２５の中に支持された複数の制御回路基板のうちの１つの制御回路基板Ｂで加熱手段２２を制御している。２７は複数の制御回路基板のうちのもう１つの制御回路基板Ａで保持体２５の中に支持されている。２８は制御回路基板Ａ２７、及び制御回路基板Ｂ２６を覆設するように、保持体２５上に配設された蓋体、２９は外郭２３上部に具備された注口部である。制御回路基板Ｂ２６は保持体２５の中で略垂直方向に支持され、制御回路基板Ａ２７は、保持体２５の中で略水平方向に支持されかつ、制御回路基板Ｂ２６に対しては、垂直方向に支持されている。そして、保持体２５と蓋体２８に設けられた支持部３０によって狭着され、蓋体２８と共に容器２１と外郭２３の間に略垂直方向に配置されている。
【００２７】
次に、この第２の実施例における作用を説明する。
実施例１と同様の内容、効果に加えて、制御回路基板Ａ２７に背の高い部品がある場合でよりコンパクトに部品を配置したい際に、図３のような配置をすることで、加熱手段２２よりも上方で、制御回路基板Ａ２７及び制御回路基板Ｂ２６の両方を支持することができるため、より熱的影響を低減することができる。
【００２８】
また、制御回路基板Ａ２７は、保持体２５、蓋体２８の支持部３０により狭着されているので、確実に支持される。よって、フレキシブルに複数の基板をセットして、コンパクトでかつ、高付加価値の機能を有する機器を提供でき、また、熱的影響を大きく受けないため、機器としての信頼性も向上させることができる。
【００２９】
（実施例３）
図４，図５は本発明の第３の実施例における電気湯沸かし器の平面断面図、電気湯沸かし器の前面断面図を示すものである。
【００３０】
図４，図５において、３１は液体を貯める容器、３２は容器３１の底面に配設された加熱手段で容器３１内の液体を加熱するものである。３３は容器３１等を支持する外郭、３４は容器３１の下部に設けられた遮熱板、３５は容器３１の側面に位置している保持体、３６は保持体３５の中に支持された複数の制御回路基板のうちの１つの制御回路基板Ｂで加熱手段３２を制御している。３７は複数の制御回路基板のうちのもう１つの制御回路基板Ａで、電気二重層コンデンサー３８を搭載し、保持体３５の中に支持されている。（電気二重層コンデンサー３８により、電荷が貯められるため、電源コードをつながなくてもある時間はポンプを駆動することにより、湯を出すことができる。−コードレス出湯（付加価値機能））３９は制御回路基板Ａ３７、及び制御回路基板Ｂ３６を覆設するように、保持体３５上に配設された蓋体、４０は外郭３３上部に具備された注口部である。制御回路基板Ｂ３６は保持体３５の中で略垂直方向に支持され、制御回路基板Ａ３７もまた保持体３５の中で略垂直方向に支持されている。そして、制御回路基板Ａ３７は、制御回路基板Ｂ３６の横に配置されている。
【００３１】
次に、この第３の実施例における作用を説明する。
【００３２】
実施例１と同様の内容、効果に加えて、電気二重層コンデンサー３８から何らかの影響で液もれが発生したとする。（電気二重層コンデンサー３８内には電解液が入っている）その際にも、制御回路基板Ｂ３６は、制御回路基板Ａ３７の下にはないので、従来例のように、カバーがなくても電解液が触れることはないので、機器が壊れることはない。また、図５のように、制御回路基板Ａ３７が制御回路基板Ｂ３６よりも下側にあっても、電解液は触れないため同様の効果が得られる。
【００３３】
つまり、電気二重層コンデンサー３８を含む制御回路基板Ａ３７が制御回路基板Ｂ３６より上方にさえ位置しなければ、同様の効果が得られる。
【００３４】
よって、フレキシブルに複数の基板をセットして、コンパクトでかつ、高付加価値の機能を有する機器を提供でき、また、熱的影響を大きく受けないことと、電解液が触れないということから機器としての信頼性をも大きく向上させることができる。
【００３５】
（実施例４）
図６、図７は、本発明の第４の実施例における電気湯沸かし器の平面断面図、電気湯沸かし器の前面断面図を示すものである。
【００３６】
図６、図７において、４１は液体を貯める容器、４２は容器４１の底面に配設された加熱手段で容器４１内の液体を加熱するものである。４３は容器４１等を支持する外郭、４４は容器４１の下部に設けられた遮熱板、４５は容器４１の側面に位置している保持体、４６は保持体４５の中に支持された複数の制御回路基板のうちの１つの制御回路基板Ｂで加熱手段４２を制御している。４７は、複数の制御回路基板のうちのもう１つの制御回路基板Ａで、電気二重層コンデンサー４８を搭載し、保持体４５の中に支持されている。（電気二重層コンデンサー４８により、電荷が貯められるため、電源コードをつながなくてもある時間はポンプを駆動することにより、湯を出すことができる。−コードレス出湯（付加価値機能））４９は制御回路基板Ａ４７、及び制御回路基板Ｂ４６を覆設するように、保持体４５上に配設された蓋体、５０は外郭４３上部に具備された注口部である。制御回路基板Ｂ４６は保持体４５の中で略垂直方向に支持され、制御回路基板Ａ４７もまた保持体４５の中で略垂直方向に支持されている。そして、制御回路基板Ａ４７は、制御回路基板Ｂ４６よりも下方に位置して、かつ容器４１の外側に配置されている。
【００３７】
次に、この第４の実施例における作用を説明する。
【００３８】
実施例３と同様の内容、効果に加えて、電気二重層コンデンサー４８は、容器４１の外側に位置しているため、加熱手段４２からの熱影響を直接受けないために、部品としての耐久性が増し、機器としても信頼性がより向上する。
【００３９】
実施例３では、制御回路基板Ａ４７は略垂直方向に支持しているが、どの方向で支持されようと、電気二重層コンデンサー４８が容器４１の外周部より外側にあれば、同様の効果が得られる。
【００４０】
よって、フレキシブルに複数の基板をセットして、コンパクトでかつ、高付加価値の機能を有する機器を提供でき、また、熱的影響を大きく受けないことから機器としての信頼性をも大きく向上させることができる。
【００４１】
（実施例５）
図８、図９は、本発明の第５の実施例における電気湯沸かし器の前面断面図、電気湯沸かし器の注口部裏面を示すものである。
【００４２】
図８、図９において、５１は液体を貯める容器、５２は容器５１の底面に配設された加熱手段で容器５１内の液体を加熱するものである。５３は容器５１等を支持する外郭、５４は容器５１の下部に設けられた遮熱板、５５は容器５１の側面に位置している保持体、５６は保持体５５の中に支持された複数の制御回路基板のうちの１つの制御回路基板Ｂで加熱手段５２を制御している。５７は複数の制御回路基板のうちのもう１つの制御回路基板Ａで保持体５５の中に支持されている。５８は制御回路基板Ａ５７及び制御回路基板Ｂ５６を覆設するように、保持体５５上に配設された蓋体、５９は外郭５３上部に具備された注口部である。制御回路基板Ｂ５６は保持体５５の中で略垂直方向に支持され、制御回路基板Ａ５７は、保持体５５の中で略水平方向あるいは垂直方向に支持されており、蓋体５８と共に容器５１と外郭５３の間に略垂直方向に配置され、外郭５３からの支持リブＡ６０と注口部５９からの支持リブＢ６１によって保持体５５、蓋体５８は狭着されている。
【００４３】
次に、この第５の実施例における作用を説明する。
【００４４】
実施例１と同様の内容、効果に加えて、基板のユニットである保持体５５、蓋体５８は、略垂直方向の支持ということで不安定な部分があったが、本体のセット後においては、上記の支持リブＡ６０、支持リブＢ６１によって、新たな部品を追加することなく、確実に保持されるので、安定した支持ができる。
【００４５】
よって、フレキシブルに複数の基板をセットして、コンパクトでかつ、高付加価値の機能を有する機器を提供でき、安定した支持のできる機器として、信頼性をも向上させることができる。
【００４６】
（実施例６）
図１０は、本発明の第６の実施例における電気湯沸かし器の前面断面図を示すものである。
【００４７】
図１０において、７１は液体を貯める容器、７２は容器７１の底面に配設された加熱手段で容器７１内の液体を加熱するものである。７３は容器７１等を支持する外郭、７４は容器７１の下部に設けられた遮熱板、７５は容器７１の側面に位置している保持体、７６は保持体７５の中に支持された複数の制御回路基板のうちの１つの制御回路基板Ｂで加熱手段７２を制御している。７７は複数の制御回路基板のうちのもう１つの制御回路基板Ａで保持体７５の中に支持されている。７８は、制御回路基板Ａ７７及び制御回路基板Ｂ７６を覆設するように、保持体７５上に配設された蓋体、７９は外郭７３上部に具備された注口部である。制御回路基板Ｂ７６は保持体７５の中で略垂直方向に支持され、制御回路基板Ａ７７は、保持体７５の中で略水平方向あるいは垂直方向に支持されており、蓋体７８と共に容器７１と外郭７３の間に略垂直方向に配置され、かつ保持体７５は締結手段８０により、遮熱板７４に固定されている。
【００４８】
次に、この第６の実施例における作用を説明する。
【００４９】
実施例５と同様の内容、効果に加えて、基板のユニットである保持体７５は確実に締結手段８０（ここではねじ）により、遮熱板７４に固定されているため、制御回路基板Ａ７７、制御回路基板Ｂ７６の組立、及び配線の際も、安定した支持がなされ、作業者にとって組み立てやすい、優しい機器をも提供できる。実施例６では、比較的作業がしやすいため、保持体７５に制御回路基板Ａ７７、制御回路基板Ｂ７６をセットして、蓋体７８を閉めるような構成としているが、制御回路基板Ａ７７、制御回路基板Ｂ７６が付いた蓋体７８を保持体７５にセットするという構成でもよい。
【００５０】
また、保持体７５の締結部は遮熱版７４に限らず、容器７１に固定された部品やあるいは、遮熱版７４上に固定された部品であってもよい。
【００５１】
よって、フレキシブルに複数の基板をセットして、コンパクトでかつ、高付加価値の機能を有する機器を提供でき、組立性のよい、安定した支持のできる機器として、信頼性をも向上させることができる。
【００５２】
（実施例７）
図１１、図１２、図１３は、本発明の第７の実施例における電気湯沸かし器の前面断面図、基板ユニットの天面図、基板ユニットの側面図を示すものである。
【００５３】
図１１、図１２、図１３において、８１は液体を貯める容器、８２は容器８１の底面に配設された加熱手段で容器８１内の液体を加熱するものである。８３は容器８１等を支持する外郭、８４は容器８１の下部に設けられた遮熱板、８５は容器８１の側面に位置している保持体、８６は保持体８５の中に支持された複数の制御回路基板のうちの１つの制御回路基板Ｂで加熱手段８２を制御している。８７は複数の制御回路基板のうちのもう１つの制御回路基板Ａで保持体８５の中に支持されている。８８は、制御回路基板Ａ８７及び制御回路基板Ｂ８６を覆設するように、保持体８５上に配設された蓋体、８９は外郭８３上部に具備された注口部である。９０は制御回路基板Ｂ８６からヒータ端子やポンプへ電気を伝えるリード線、９１はリード線９０の出口で、保持体８５及び蓋体８８に設けられた開口部である。制御回路基板Ｂ８６は保持体８５の中で略垂直方向に支持され、制御回路基板Ａ８７は、保持体８５の中で略水平方向あるいは垂直方向に支持されており、蓋体８８と共に容器８１と外郭８３の間に略垂直方向に配置され、かつリード線９０の出口である開口部９１は、全て略水平方向を向いている。
【００５４】
次に、この第７の実施例における作用を説明する。
【００５５】
実施例１と同様の内容、効果に加えて、本体内に水が入った際を考える。この構成で水が入ってくるところは、上下の部品の継ぎ目しかない。例えば、上から本体内に水が入ったとした時、基板のユニットの蓋体８８上部に水がかかる。そして、重力に従い水は、下方へとリード線９０をつたったりして垂れていく。ところが、基板ユニットの開口部は水平方向を向いているため、水は入らない。
【００５６】
また、周囲においても確実に保持体８５と蓋体８８とで囲われているため基板ユニット内には入らない。そのため、制御回路基板Ａ８７や制御回路基板Ｂ８６には水は触れないため、ショート等の故障が起こることはない。
【００５７】
また、開口部９１において、若干でも斜め下方向を向けていれば、より一層水は入りにくくなる。
【００５８】
よって、フレキシブルに複数の基板をセットして、コンパクトでかつ、高付加価値の機能を有する機器を提供でき、かつ溢水性能のよい機器として、信頼性をも向上させることができる。
【００５９】
（実施例８）
図１４，図１５、図１６は、本発明の第８の実施例における電気湯沸かし器の前面断面図、電気湯沸かし器の平面断面図（１）、電気湯沸かし器の平面断面図（２）を示すものである。
【００６０】
図１４、図１５、図１６において、１０１は液体を貯める容器、１０２は容器１０１の底面に配設された加熱手段で容器１０１内の液体を加熱するものである。１０３は容器１０１等を支持する外郭、１０４は容器１０１の下部に設けられた遮熱板、１０５は容器１０１の側面に位置している保持体、１０６は保持体１０５の中に支持された複数の制御回路基板のうちの１つの制御回路基板Ｂで加熱手段１０２を制御している。１０７は、複数の制御回路基板のうちのもう１つの制御回路基板Ａで保持体１０５の中に支持されている。１０８は、制御回路基板Ａ１０７及び制御回路基板Ｂ１０６を覆設するように、保持体１０５上に配設された蓋体、１０９は外郭１０３上部に具備された注口部である。１１０は、外郭１０３の横に位置する容器１０１内に給水を行うタンクで着脱自在である。制御回路基板Ｂ１０６は保持体１０５の中で略垂直方向に支持され、制御回路基板Ａ１０７は、保持体１０５の中で略水平方向あるいは垂直方向に支持されており、蓋体１０８と共に容器１０１と外郭１０３の間に略垂直方向に配置されている。
【００６１】
次に、この第８の実施例における作用を説明する。
【００６２】
製品をコンパクトに、デザイン性をよくするため、この構成においては、本体側の外郭１０３とタンク１１０とのつなぎの部分は略平面状に嵌合されている。そのことによって、本体の外郭１０３のタンク側には、容器１０１との間に空間が設けられている。（タンク１１０との反対側の面は、コンパクトにするため、外郭１０３は容器１０１と略同心円状に構成され、大きな空間は存在しない。）その空間に、制御回路基板Ｂ１０６、制御回路基板Ａ１０７は保持体１０５及び蓋体１０８と共に略垂直方向に配置されている。
【００６３】
また、注口部１０９に位置する操作部も操作性を考慮すると、注口部１０９のタンク１１０側に配置されるために、制御回路基板Ｂ１０６との配線も短くできるし、また配線作業もお互い近いため容易にすることができる。その上、タンク１１０から水をくみ上げたりする際にポンプが必要となるが、そのポンプも当然タンク１１０側に配置されるため、その際の配線の長さを短くでき、また配線作業も前記と同様容易なものとなる。
【００６４】
実施例８では、基板を複数としているが一枚で構成させてもよいし、また、基板の位置も右斜め後方に限らず、右でも、右斜め前方でもタンク１１０側の外郭１０３内部であればどこでもよく、そういう意味では、図１５のように、基板を水平方向に配置させてもよいし、容器１０１の下にかかっていてもよい。
【００６５】
よって、フレキシブルに基板をセットして、コンパクトでかつ、高付加価値の機能を有する機器を提供でき、かつ操作性もよく、また組立の作業性もよい使いやすい機器として、信頼性をも向上させることができる。
【００６６】
【発明の効果】
請求項１〜８の発明によれば、一方の制御回路基板を略垂直方向、もう一方の制御回路基板を略垂直方向あるいは水平方向に、容器と外郭の間に配置することで、本体内において効率よく部品及び基板をフレキシブルに配置ができ、コンパクトでデザイン性のよい使いやすい機器を提供できる。
【００６７】
また、基板への熱的影響が低減され、かつ電解液や水が付着しづらい構成となることで、信頼性も大幅に向上させることができる。そして、基板の組立及び配線作業が容易な作業性のよい機器をも提供できる。
【図面の簡単な説明】
【図１】  本発明の実施例１における電気湯沸かし器の前面断面図
【図２】  本発明の実施例１における電気湯沸かし器の平面断面図
【図３】  本発明の実施例２における電気湯沸かし器の前面断面図
【図４】  本発明の実施例３における電気湯沸かし器の平面断面図
【図５】  本発明の実施例３における電気湯沸かし器の前面断面図
【図６】  本発明の実施例４における電気湯沸かし器の平面断面図
【図７】  本発明の実施例４における電気湯沸かし器の前面断面図
【図８】  本発明の実施例５における電気湯沸かし器の前面断面図
【図９】  本発明の実施例５における注口部の裏面図
【図１０】  本発明の実施例６における電気湯沸かし器の前面断面図
【図１１】  本発明の実施例７における電気湯沸かし器の前面断面図
【図１２】  本発明の実施例７における基板ユニットの平面図
【図１３】  本発明の実施例７における基板ユニットの側面図
【図１４】  本発明の実施例８における電気湯沸かし器の前面断面図
【図１５】  本発明の実施例８における電気湯沸かし器の平面断面図（１）
【図１６】  本発明の実施例８における電気湯沸かし器の平面断面図（２）
【図１７】  従来の電気湯沸かし器の前面断面図
【符号の説明】
１１、２１、３１、４１、５１、７１、８１、１０１  容器
１２、２２、３２、４２、５２、７２、８２、１０２  加熱手段
１３、２３、３３、４３、５３、７３、８３、１０３  外郭
１４、２４、３４、４４、５４、７４、８４、１０４  遮熱板
１５、２５、３５、４５、５５、７５、８５、１０５  保持体
１６、２６、３６、４６、５６、７６、８６、１０６  制御回路基板Ａ
１７、２７、３７、４７、５７、７７、８７、１０７  制御回路基板Ｂ
１８、２８、３９、４９、５８、７８、８８、１０８  蓋体
１９、２９、４０、５０、５９、７９、８９、１０９  注口部
３０  支持部
３８、４８  電気二重層コンデンサー
６０  支持リブＡ
６１  支持リブＢ
８０  締結手段
９０  リード線
９１  開口部
１１０  タンク
【図１】
0003636161.tif 000002
【図２】
0003636161.tif 000003
【図３】
0003636161.tif 000004
【図４】
0003636161.tif 000005
【図５】
0003636161.tif 000006
【図６】
0003636161.tif 000007
【図７】
0003636161.tif 000008
【図８】
0003636161.tif 000009
【図９】
0003636161.tif 000010
【図１０】
0003636161.tif 000011
【図１１】
0003636161.tif 000012
【図１２】
0003636161.tif 000013
【図１３】
0003636161.tif 000014
【図１４】
0003636161.tif 000015
【図１５】
0003636161.tif 000016
【図１６】
0003636161.tif 000017
【図１７】
0003636161.tif 000018